(57)【要約】【課題】スイング中のゴルフクラブヘッドが安定的な挙動を有し、操作性、打球方向性に優れたウッド型形状ゴルフクラブを提供することを目的とする。【解決手段】ロフト角度が１５度以下のウッド型形状ゴルフクラブにおいて、フェース面４のリーディングエッジ４１のシャフト軸線Ｓに対する前進量（フェースプログレッション）をＦＰ、フェース面４のリーディングエッジ４１の重心Ｇの深さ方向に対する水平距離（重心深度）をＶＺＧとしたとき、−２＜ＶＺＧ−２×ＦＰ＜２を満たすゴルフクラブヘッドを有することを特徴とするウッド型形状ゴルフクラブ。【選択図】図１
2008220731.tif 000002
【特許請求の範囲】
【請求項１】
ロフト角度が１５度以下のウッド型形状のゴルフクラブヘッドにおいて、フェース面のリーディングエッジのシャフト軸線に対する前進量をＦＰ、フェース面のリーディングエッジの重心の深さ方向に対する水平距離をＶＺＧとしたとき、
−２＜ＶＺＧ−２×ＦＰ＜２
を満たすことを特徴とするウッド型形状ゴルフクラブヘッド。
【請求項２】
前記ＦＰは、
１２ｍｍ＜ＦＰ＜２０ｍｍ
を満たすことを特徴とする請求項１記載のウッド型形状ゴルフクラブヘッド。
【請求項３】
前記ＦＰは、
１２ｍｍ＜ＦＰ＜１７ｍｍ
を満たすことを特徴とする請求項２記載のウッド型形状ゴルフクラブヘッド。
【請求項４】
請求項１から３のうち何れかに記載のウッド型形状ゴルフクラブヘッドを備えたことを特徴とするウッド型形状ゴルフクラブ。
【発明の詳細な説明】
【技術分野】
【０００１】
本発明は、ウッド型形状ゴルフクラブに関し、特にロフト角度が１５度以下のウッド型形状ゴルフクラブに関する。
【背景技術】
【０００２】
ゴルフクラブはヘッドの形状が操作性や打球方向性等に大きな影響を与えるものである。そこで、シャフト軸線からフェース先端（リーディングエッジ）までの距離であるフェースプログレッション（ＦＰ）、重心の位置、重心からフェース先端（リーディングエッジ）までの距離である重心深度（ＶＺＧ）、フェース面から重心までの距離である重心深さ（ＺＧ）、ロフト角、シャフト軸線から重心までの距離である重心距離（ＧＬ）、スウィートスポットの高さ等を調整して、捉まりやすさ、操作性、打球方向性等の向上を図るために、様々な設計がなされたヘッドが提供、提案されている。
【０００３】
そして、フェースプログレッション（ＦＰ）は捉まりの要素として、一般的には小さいと捉まりがよく、大きいと捉まりが悪いとされている。ここで、捉まりがよいとは、ヘッドが返りやすくフックし易い（スライスし難い）こと、捉まりが悪いとは、ヘッドが返り難く、スライスし易い（フックし難い）ことをいう。又、重心深度（ＶＺＧ）はヘッドでの相対的重心深さを意味しており、一般的には、大きいほど捉まり易い傾向にある。
【０００４】
しかし、捉まりすぎたり、逆に捉まらなさすぎたりすると、操作性が悪くなり、打球方向性も不安定になる。これらの現象は、スイング中のゴルフクラブヘッドの挙動に安定感を欠くこと、安定的なヘッドの返り具合をコントロールすることが出来ないこともその一因と考えられるが、安定的なヘッドの返り具合をコントロールする因子として、打点と重心位置とシャフト軸の関係で決定されると推測されるが、明確な関係は見出されていなかった。
【０００５】
このようなゴルフクラブヘッドの設計において、ＦＰの値に注目したゴルフクラブヘッドとしては、ＦＰ値を７ｍｍ以上２０ｍｍ以下の範囲にしたものが提案されている（特許文献１参照。）。又、重心深さ（ＺＧ）に注目したものも提案されている（特許文献２参照。）。
【０００６】
【特許文献１】特開平１１−１７８９５８号公報
【特許文献２】特開２００２−２１００４５号公報
【発明の開示】
【発明が解決しようとする課題】
【０００７】
しかし、単にＦＰ値のみ、或いはＺＧ値のみ等、一要素の値のみ規定したものでは、スイング中のゴルフクラブヘッドの挙動に安定性を持たせることは出来ないため、安定的なヘッドの返り具合、捉まり具合をコントロールすることが出来ず、操作性が低いので、フックやスライスを打ち分けることが出来ず、打球方向性も不安定であるという欠点を有していた。
【０００８】
そこで、本発明は、スイング中のゴルフクラブヘッドの安定的な挙動を有し、安定的なヘッドの返り具合をコントロールすることが出来、操作性、打球方向性に優れたウッド型形状ゴルフクラブを提供することを目的とする。
【課題を解決するための手段】
【０００９】
上記課題を解決するための本発明は、ロフト角度が１５度以下のウッド型形状ゴルフクラブのヘッドにおいて、フェース面のリーディングエッジのシャフト軸線に対する前進量をＦＰ、フェース面のリーディングエッジの重心の深さ方向に対する水平距離をＶＺＧとしたとき、−２＜ＶＺＧ−２×ＦＰ＜２を満たすことを特徴とするウッド型形状ゴルフクラブヘッド及びこのようなウッド型形状ゴルフクラブヘッドを備えたウッド型形状ゴルフクラブである。
【００１０】
前記ＦＰは、１２ｍｍ＜ＦＰ＜２０ｍｍを満たすことが好ましく、更には１２ｍｍ＜ＦＰ＜１７ｍｍを満たすことがより好ましい。
【発明の効果】
【００１１】
以上のような本発明よれば、スイング中のゴルフクラブヘッドに安定的な挙動をもたらすこと、安定的なヘッドの返り具合をコントロールすることが可能となり、操作性、打球方向性を向上させることが可能となった。
【発明を実施するための最良の形態】
【００１２】
以下本発明の実施の形態を図に従って詳細に説明する。図１は中空部１０を有するウッド型形状のゴルフクラブヘッド１の側面図であり、ヘッド本体２にホゼル３が設けられると共にフェースプレート５が固定され、このホゼル３に図示しないシャフトが装着され、ウッド型形状ゴルフクラブが形成される。又、本発明ウッド型形状ゴルフクラブのロフト角度は１５度以下に形成されている。
【００１３】
ここで、フェース面４のリーディングエッジ４１のシャフト軸線Ｓに対する前進量をＦＰ、即ちフェースプログレッションといい、フェース面４のリーディングエッジ４１の重心Ｇの深さ方向に対する水平距離をＶＺＧ、即ち重心深度という。
【００１４】
そして、ウッド型形状のゴルフクラブヘッド１は、−２＜ＶＺＧ−２×ＦＰ＜２を満たすように形成されている。このＦＰの値は、１２ｍｍ＜ＦＰ＜２０ｍｍを満たすことが好ましく、更には１２ｍｍ＜ＦＰ＜１７ｍｍを満たすことがより好ましい。ＦＰが１２ｍｍ以下になると、ヘッド形状に違和感が生じると共に、捉まりすぎてしまい、左に行くようになってしまい、２０ｍｍ以上になると、スイング中の挙動安定性が増したとしても捉まりが悪くなるからである。
【００１５】
ＶＺＧの値は、ＦＰの値に応じて、上記−２＜ＶＺＧ−２×ＦＰ＜２を満たすような値とする。
【００１６】
ゴルフクラブヘッド１は、材質、体積は通常のウッド型のヘッドの範囲内であれば特に限定されないが、例えばチタン合金やステンレス等の素材を用いることが出来、３５０ｃｃ〜５００ｃｃ程度の体積とすることが出来る。
【００１７】
尚、体積を４００ｃｃ以上とした場合、シャフト軸線Ｓから垂直に重心Ｇを結んだときのシャフト軸線Ｓから重心Ｇまでの距離である重心距離を、４０ｍｍ以下とすることが好ましい。体積が４００ｃｃ以上では、通常は重心距離が長くなってしまい、操作性が悪くなるので、重心距離を短くすることで、操作性を高めることが出来るためである。
【００１８】
又、ゴルフクラブヘッド１の体積が大きくなり、４００ｃｃ程度以上となると、打音が大きくなり、操作性のフィーリング、打感が悪くなってしまうので、金属としては比較的比重が小さく、振動減衰効果のある素材、例えばマグネシウムやマグネシウム合金製の部材をバックフェースのトウ及びヒール側に装着することで、打音の減衰性を高めて、操作性フィーリングを高めることが好ましい。この合金製の部材はねじ７の形状とし、バックフェースに設けた凹部８から中空部１０方向へ螺合して装着することが出来る。
【００１９】
又、体積が大きい大型のヘッドでは、オートマチックに捉まりが悪くなる傾向があるので、クラウン部の肉厚を、フェース４側からバックフェース側に、他のヘッド部分に比べ、肉厚化することが好ましい。例えば、ホゼル３のバックフェース側の肉厚Ｌを０．６ｍｍ、更にバックフェース側の肉厚Ｍを０．７ｍｍ、更にバックフェース側の肉厚Ｎを１．０ｍｍ等に構成することが出来る。このような構成とすることで、捉まりの性能を高めることが出来る。
【実施例】
【００２０】
ゴルフクラブヘッド１は、ヘッド本体２はチタン合金製、フェースプレート５はチタン製のものを用い、体積は４１０ｃｃとし、ＦＰ値（ｍｍ）及びＶＺＧ値（ｍｍ）を変えたものを実施例１〜３、比較例１〜９として製造し、実際にゴルファーが試打して、捉まりのフィーリング、スイング中の挙動安定感のフィーリング、サイドスピン、打出し方向、弾道を調べた。この結果を表１に示す。尚、表中、ＦＰとＶＺＧ−２×ＦＰの単位はｍｍ、サイドスピンの数値でプラスはスライススピン、マイナス（−）はフックスピンを意味し、飛球線に対し上部から見て、時計回りのスピンをプラス、反時計回りのスピンをマイナスで示している。サイドスピンの単位はｒｐｍである。又、弾道は目標方向に対する左右のぶれの量を示しており、目標方向に対して右にずれる場合をプラス、左にずれる場合をマイナス（−）の数値で示し、単位はｍである。
【００２１】
【表１】
2008220731.tif 000003
【００２２】
表１の結果に示すように、本発明では、スイング中のゴルフクラブヘッドは安定的な挙動を有し、操作性、打球方向性に優れていることがわかる。
【図面の簡単な説明】
【００２３】
【図１】本発明一実施例側面図
【符号の説明】
【００２４】
１      ゴルフクラブヘッド
１０    中空部
２      ヘッド本体
３      ホゼル
４      フェース面
４１    リーディングエッジ
５      フェースプレート
７      ねじ
ＦＰ    フェースプログレッション
ＶＺＧ  重心深度
Ｇ      重心
Ｓ      シャフト軸線
【図１】
2008220731.tif 000004